(57)【要約】【課題】簡単な構成で制御手段の処理プログラムもしくはデータを書き換え可能とする。【解決手段】マイコン１−６は、バージョンアップが開始されると、ビデオ信号処理回路１−４を停止するとともに、メモリカードからバージョンアップ用のデータをＳＤＲＡＭ１−１１の所定のアドレスに転送する。さらに、フラッシュＲＯＭ１−７を書き換えるためのプログラムをフラッシュＲＯＭ１−７からＳＤＲＡＭ１−１１の所定のアドレスにコピーした後、フラッシュＲＯＭ１−７の処理プログラムが動作しないようにするために”割り込み禁止”状態とした後に、フラッシュＲＯＭ１−７全領域を消去し、プログラムカウンタを前記コピーされたＳＤＲＡＭ１−１１上の”フラッシュＲＯＭ書き換えプログラム”の先頭に切り換えることで、フラッシュＲＯＭの書き換えを実行する。【選択図】      図１
2004248070.tif 000002
【特許請求の範囲】
【請求項１】
映像及び音声のデータを処理する信号処理手段と、前記処理手段が映像及び音声のデータを一時的に格納するための第１の記憶手段と、前記信号処理手段の動作の制御を含む各部の制御を行う制御手段と、前記制御手段の制御手順を決定するプログラム及びデータを格納する第２の記憶手段とを備えた映像記録再生装置において前記第２の記憶手段のプログラム及びデータの一部もしくは全てを書き換えるためのプログラム又はデータの書き換え方法であって、前記信号処理手段を一時的に停止させた後に、前記第１の記憶手段を一時的なデータ書き換え領域として使用する手順を有することを特徴とするプログラム又はデータの書き換え方法。
【発明の詳細な説明】
【０００１】
【発明の属する技術分野】
本発明は、記録再生装置内の各部を制御するため制御手段のプログラムやデータが記憶されたフラッシュＲＯＭ等のメモリのプログラム又はデータの書き換え方法に関するものである。
【０００２】
【従来の技術】
図７に従来例の映像情報記録再生装置の構成を示す。従来例の映像情報記録再生装置においては、レンズ３−１及びカメラ信号処理回路３−３を制御するカメラマイコン３−５と、ビデオ信号処理回路３−８及びメカデッキ３−１０を制御するレコーダマイコン３−１１の２つのマイコンが存在し、情報交換をしながらシステム全体の制御を行っている。
【０００３】
このようなシステムにおいて、カメラマイコン３−５にはその処理プログラム及びデータを記憶するフラッシュＲＯＭ３−６及びＲＯＭ３−１５が接続され、カメラマイコン３−５はこれらの記憶装置からプログラムを読み出すことで処理を進めている。
【０００４】
また、レコーダマイコン３−１１にも同様に処理プログラム及びデータを記憶するフラッシュＲＯＭ３−１３が接続されており、レコーダマイコン３−１１もこのフラッシュＲＯＭ３−１３からプログラム及びデータを読み出しながら処理を進めている。
【０００５】
このようなシステムにおいて、フラッシュＲＯＭ３−６に記憶されたカメラマイコン３−５の処理プログラムをバージョンアップする等の理由により、フラッシュＲＯＭ３−６の書き換え行う場合には、次のような手順によって処理を進めることとなる。
【０００６】
まず、書き換えを行うためのデータが記憶されたメモリカード３−４から必要なデータをＲＡＭ３−７にコピーする。その後、ＲＯＭ３−１５に格納されているフラッシュＲＯＭ３−６の書き換えのためのプログラムが起動し、ＲＡＭ３−７にコピーされたデータをフラッシュＲＯＭ３−６の所定のアドレスに書き込む。
【０００７】
ここで、フラッシュＲＯＭの書き換えについて簡単に説明する。図８に示すように、一般的にフラッシュＲＯＭのデータ記憶部分はいくつかのセクタに分離されている。フラッシュＲＯＭの書き換えは、通常動作時には、記憶されているプログラムを読み出すためのアドレス線及びデータ線を利用して、所定のアドレスに所定のデータを発生させることで行う。従って、フラッシュＲＯＭが接続されたマイコンもしくはＣＰＵのプログラム処理によって、その作業を行うことが可能である。
【０００８】
書き換え手順としては、まず対象となるセクタを消去し、その後改めて消去したセクタにデータを書き込む。フラッシュＲＯＭ全領域のデータの書き換えであれば、まずフラッシュＲＯＭ全領域のデータの消去を行い、その後データを書き込むこととなる。この手順中、セクタを消去している最中にはフラッシュＲＯＭからのプログラムの読み出しは一切不可能となるため、フラッシュＲＯＭの書き換え処理は、外部にあるＲＯＭ等に記憶されている処理プログラムにより実行されることが必要である。
【０００９】
【発明が解決しようとする課題】
しかしながら、前記従来例の方法でカメラマイコン３−５に接続されたフラッシュＲＯＭ３−６の書き換えを行うために、図７に示すような従来構成においては、フラッシュＲＯＭ３−６の書き換えプログラムを格納するためのＲＯＭ３−１５、メモリカード等から書き換え用のデータを一時的に記憶するための大容量のＲＡＭ３−７等が必要となる。
【００１０】
本発明は前記の点に鑑みてなされたものであり、簡単な構成で制御手段の処理プログラムもしくはデータを書き換え可能とすることを目的とする。
【００１１】
【課題を解決するための手段】
本発明のプログラム又はデータの書き換え方法は、映像及び音声のデータを処理する信号処理手段と、前記処理手段が映像及び音声のデータを一時的に格納するための第１の記憶手段と、前記信号処理手段の動作の制御を含む各部の制御を行う制御手段と、前記制御手段の制御手順を決定するプログラム及びデータを格納する第２の記憶手段とを備えた映像記録再生装置において前記第２の記憶手段のプログラム及びデータの一部もしくは全てを書き換えるためのプログラム又はデータの書き換え方法であって、前記信号処理手段を一時的に停止させた後に、前記第１の記憶手段を一時的なデータ書き換え領域として使用する手順を有する点に特徴を有する。
【００１２】
【発明の実施の形態】
以下、図面を参照して、本発明の実施の形態を説明する。
（第１の実施の形態）
以下に説明する本実施の形態では、磁気テープにデジタル映像信号をヘリカルスキャン記録するデジタルビデオカメラ（以下、ＤＶＣ）に搭載されたマイコンのプログラムのバージョンアップに本発明を適用した例について説明する。
【００１３】
図１は本実施の形態におけるＤＶＣの構成を示す図であり、１−１はレンズ、１−２はレンズ１−１からの光信号を電気信号に変換するＣＣＤセンサ、１−３はＣＣＤセンサ１−２からの電気信号を処理しデジタル映像信号に変換するカメラ信号処理回路である。
【００１４】
１−４はビデオ信号処理回路であり、カメラ信号処理回路１−３からのデジタル映像信号を受け、その信号をビデオ信号に変換してモニタに出力すると共に、デジタル的に圧縮して、メカデッキ１−５に装填されたカセットテープに記録するための信号を作り出す。このビデオ信号処理回路１−４は、前述したような電気信号処理を行うために、一時的にデジタル映像データを記憶するためのＳＤＲＡＭ１−１１を調停器１−１２を通じてワーク領域として使用している。具体的には、記録時においてはビデオ信号を符号化してその情報量を圧縮するための処理や、エラー訂正符号化等の処理のためにＳＤＲＡＭ１−１１を使用し、再生時にはエラー訂正処理や再生されたビデオ信号の復号処理等に使用する。
【００１５】
１−１０はメモリカードであり、ＣＣＤセンサ１−２を通じて入力された映像信号を静止画ファイルとして記録するための記憶装置である。
【００１６】
１−６はマイコンであり、各種スイッチ操作等のキー入力部１−８からのユーザ入力に応じて、ＡＦ／Ｚｏｏｍ等のレンズ１−１、カメラ信号処理回路１−３、ビデオ信号処理回路１−４、及びメカデッキ１−５の各部の制御、メモリカード１−１０へのデータ書き込みとデータ読み出し等、ＤＶＣ内部の各種処理を行っている。マイコン１−６が制御動作を行うためのプログラム及びデータはフラッシュＲＯＭ１−７に格納されており、マイコン１−６はこのフラッシュＲＯＭ１−７から順次プログラムを読み出しながら処理を進めている。
【００１７】
１−９はＲＡＭであり、マイコン１−６がプログラム処理を進めるためにデータを一時的に保持するための記憶装置である。また同時に、マイコン１−６は、調停器１−１２を通じて、ＳＤＲＡＭ１−１１のデータの読み書きを行うことも可能な構成となっている。
【００１８】
１−１２は調停器であり、ビデオ信号処理回路１−４とマイコン１−６のＳＤＲＡＭ１−１１へのアクセスを両立させる機能を有している。すなわち、マイコン１−６及びビデオ信号処理回路１−４のいずれかがＳＤＲＡＭ１−１１にアクセスしている場合には、他方のアクセスを一時的に待たせることで、ＳＤＲＡＭ１−１１を両方の処理ブロックが使用することを可能としている。
【００１９】
以上説明したＤＶＣのシステム構成において、図２のフローチャートを参照して、メモリカード１−１０からマイコン１−６のプログラムのバージョンアップを行う場合の処理手順について説明する。本処理手順は、マイコン１−６によってプログラム処理される手順であり、バージョンアップされるフラッシュＲＯＭ１−７に記憶されているプログラムによって実現されるものである。
【００２０】
バージョンアップを開始する以前に、ユーザは、まずステップＳ２−１で、バージョンアップするためのプログラムが所定のファイル形式で格納されたメモリカードをＤＶＣ本体に格納する必要がある。このデータにより、本実施の形態では、フラッシュＲＯＭ１−７の全領域のデータをバージョンアップするものとする。
【００２１】
マイコン１−６は、ステップＳ２−２で、ユーザがＤＶＣの所定の操作を行うまでバージョンアップが開始されるのを待つ。
【００２２】
バージョンアップが開始されると、ステップＳ２−３で、ビデオ信号処理回路１−４を停止する。これは、ビデオ信号処理回路１−４からＳＤＲＡＭ１−１１へのアクセスを停止するための措置で、マイコン１−６がＳＤＲＡＭ１−１１を占有的に使用するために行う処理である。すなわち、通常はビデオ信号処理回路１−４が使用している領域を、バージョンアップを行うためのワーク領域として使用するために、ビデオ信号処理回路からの書き込みを停止するものである。
【００２３】
次にステップＳ２−４で、マイコン１−６はメモリカードからバージョンアップ用のデータをＳＤＲＡＭ１−１１の所定のアドレスに転送する。この場合、既にビデオ信号処理回路１−４が動作を停止しているために、転送されたデータが破壊されることはない。
【００２４】
さらにステップＳ２−５で、フラッシュＲＯＭ１−７を書き換えるためのプログラムをフラッシュＲＯＭ１−７からＳＤＲＡＭ１−１１の所定のアドレスにコピーする。このプログラムは、マイコン１−６によって実行され、フラッシュＲＯＭ１−７全領域を消去し、その後前記ステップＳ２−４によって転送されたバージョンアップ用のデータを、前記消去されたフラッシュＲＯＭ１−７に書き込むための処理手順である。
【００２５】
その後ステップＳ２−６で、マイコン１−６はフラッシュＲＯＭ１−７の処理プログラムが動作しないようにするために”割り込み禁止”状態とした後に、ステップＳ２０７でフラッシュＲＯＭ１−７全領域を消去し、ステップＳ２−８でプログラムカウンタを前記ステップＳ２−５でコピーされたＳＤＲＡＭ１−１１上の”フラッシュＲＯＭ書き換えプログラム”の先頭に切り換えることで、フラッシュＲＯＭ１−７の書き換えを実行する。
【００２６】
以上説明した手順を実行することで、フラッシュＲＯＭ１−７の書き換えプログラムを格納するためのＲＯＭや、メモリカード等から書き換え用のデータを一時的に記憶するための大容量のＲＡＭ等が不要となり、簡単な構成でメモリカード１−１０に書き込まれたバージョンアップ用のデータによって、フラッシュＲＯＭ１−７をバージョンアップすることが可能となる。
【００２７】
図３には、前述した手順の概要をブロック図に当てはめて示した図を示す。すなわち、マイコン１−６（ＣＰＵ）は、フラッシュＲＯＭ１−７から読み出されるプログラムに従って（矢印▲１▼）、メモリカードからバージョンアップ用のデータをＳＤＲＡＭ１−１１に転送する（矢印▲２▼）。
【００２８】
次にマイコン１−６（ＣＰＵ）は、フラッシュＲＯＭ１−７書き換えプログラムをフラッシュＲＯＭ１−７からＳＤＲＡＭ１−１１にコピーする（矢印▲３▼）。
【００２９】
そして、マイコン１−６（ＣＰＵ）は、ＳＤＲＡＭ１−１１から読み出されるプログラムに従って（矢印▲４▼）、ＳＤＲＡＭ１−１１からバージョンアップ用のデータをフラッシュＲＯＭ１−７に書き込む（矢印▲５▼）。
【００３０】
（第２の実施の形態）
以下に説明する本実施の形態では、磁気テープにデジタル映像信号をヘリカルスキャン記録するデジタルビデオカメラ（以下、ＤＶＣ）に搭載されたマイコンの音声データのユーザ書き換えに本発明を適用した例について説明する。
【００３１】
本実施の形態のＤＶＣでは、例えばユーザが電源を投入したとき、シャッタを押したとき、何か操作をしたとき、又は、セルフタイマによりシャッタが切れる直前に、ユーザにその動作が実行されたことを知らしめるために”お知らせ音”を発する機能が搭載されているものとする。この音声は一般的にＰＣＭ（パルス符号変調）と呼ばれる形式のデータで、図５に示すように、フラッシュＲＯＭ１−７の所定の領域に格納されており、この音声データをデコードすることでスピーカから所定のタイミングで発生されるものである。
【００３２】
図４は本実施の形態におけるＤＶＣの構成を示す図であり、既に説明した第１の実施の形態におけるＤＶＣの構成（図１に示す構成）に加えて、外部のパーソナルコンピュータＰＣ６−１４と接続するＵＳＢインターフェース６−１３がカメラ信号処理回路１−３に接続されている。このＵＳＢインターフェース６−１３を通じて、ユーザは書き換えたい音声データをＰＣ６−１４からＤＶＣにダウンロードすることができる。
【００３３】
また、ＰＣＭデコーダ６―１５は、フラッシュＲＯＭ１−７に格納された各種音声データをデコードしてスピーカ６−１６にアナログ音声データとして送出することで、各種の”お知らせ音”を発することができる。
【００３４】
マイコン１−６は、例えばシャッタが押されたことを検出すると、カメラ信号処理回路１−１３を制御して、静止画像の取り込みを行うと共に、フラッシュＲＯＭ１−７から”シャッタ音”のデータを取り出して、順にＰＣＭデコーダ６−１５に転送する。そのデータは順次ＰＣＭデコーダ６−１５によってデコードされて、スピーカ６−１６から発生されることで、ユーザは擬似的に生成されたシャッタ音を聞くことができる。
【００３５】
以上説明したＤＶＣのシステム構成において、図６のフローチャートを参照して、前記のようにして発生される音声の音色をユーザがＰＣ６―１４から書き換える場合の手順についてついて説明する。本処理手順は、マイコン１−６によってプログラム処理される手順であり、書き換えられる音声データが格納されているフラッシュＲＯＭ１−７に記憶されているプログラムによって実現されるものである。
【００３６】
ユーザは、まずステップＳ８−１で、ＤＶＣとＰＣ６−１４をＵＳＢ接続して、音声データをダウンロードするための所定のソフトを起動する。そして、ＰＣ６−１４を操作することで音声書き換えを開始する。
【００３７】
ＤＶＣでは、ステップＳ８−２で、マイコン１−６がこれを検出して、音声の書き換えが開始されたと判断したら、ステップＳ８−３でビデオ信号処理回路を停止する。これは、ビデオ信号処理回路１−４からＳＤＲＡＭ１−１１へのアクセスを停止するための措置で、マイコン１−６がＳＤＲＡＭ１−１１を占有的に使用するために行う処理である。すなわち、通常はビデオ信号処理回路１−４が使用している領域を、音声データの書き換えを行うためのワーク領域として使用するために、ビデオ信号処理回路１−４からの書き込みを停止するものである。
【００３８】
次にステップＳ８−４で、ＵＳＢインターフェース６−１３を通じて転送される音声データをカメラ信号処理回路１−３を通じて取り出して、ＳＤＲＡＭ１−１１に展開する。この場合、既にビデオ信号処理回路１−４が動作を停止しているために、転送されたデータが破壊されることはない。
【００３９】
さらにステップＳ８−５で、フラッシュＲＯＭ１−７を書き換えるためのプログラムをフラッシュＲＯＭ１−７からＳＤＲＡＭ１−１１の所定のアドレスにコピーする。このプログラムは、マイコン１−６によって実行され、フラッシュＲＯＭ１−７の音声データが格納されているのセクタ（図５のセクタ２１）を消去し、その後前記ステップＳ８−４によって転送された音声書き換えデータを前記消去した領域に書き込み、さらにチェックサムを計算してその後ろの領域に書き込むための処理手順である。
【００４０】
その後ステップＳ８−６で、マイコン１−６はフラッシュＲＯＭ１−７の処理プログラムが動作しないようにするために”割り込み禁止”状態とした後に、フラッシュＲＯＭ１−７の音声データが格納されているのセクタ（図５のセクタ２１）を消去し、ステップＳ８−８でプログラムカウンタを前記ステップＳ８−５でコピーされたＳＤＲＡＭ１−１１上の”フラッシュＲＯＭ書き換えプログラム”の先頭に切り換えることで、音声データの書き換えを実行する。
【００４１】
さらにステップＳ８−９で、データの信頼性を確保するためにチェックサムの計算を行い、音声データの後ろの領域に記入する。
【００４２】
以上説明した手順を実行することで、音声データ書き換えプログラムを格納するためのＲＯＭや、メモリカード等から書き換え用のデータを一時的に記憶するための大容量のＲＡＭ等が不要となり、簡単な構成でＰＣ６−１４からＵＳＢインターフェース６−１３を通じて送信される音声データによって、フラッシュＲＯＭ１−７の所定の領域に記憶されているＰＣＭ音声データの書き換えを行うことが可能となる。
【００４３】
（その他の実施の形態）
上述した実施の形態の機能を実現するべく各種のデバイスを動作させるように、該各種デバイスと接続された装置或いはシステム内のコンピュータに対し、前記実施の形態の機能を実現するためのソフトウェアのプログラムコードを供給し、そのシステム或いは装置のコンピュータ（ＣＰＵ或いはＭＰＵ）に格納されたプログラムに従って前記各種デバイスを動作させることによって実施したものも、本発明の範疇に含まれる。
【００４４】
また、この場合、前記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００４５】
さらに、前記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４６】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【００４７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【００４８】
なお、前記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【００４９】
以下、本発明の実施態様の例を列挙する。
（実施態様１）  映像及び音声のデータを記録・再生するための映像記録再生装置であって、
映像及び音声のデータを処理する信号処理手段と、
前記処理手段が映像及び音声のデータを一時的に格納するための第１の記憶手段と、
前記信号処理手段の動作の制御を含む各部の制御を行う制御手段と、
前記制御手段の制御手順を決定するプログラム及びデータを格納する第２の記憶手段と、
前記第２の記憶手段のプログラム及びデータの一部もしくは全てを書き換えるための書き換え手段とを有し、
前記書き換え手段は前記信号処理手段を一時的に停止させた後に、前記第１の記憶手段を一時的なデータ書き換え領域として使用することを特徴とする映像記録再生装置。
【００５０】
（実施態様２）  前記第２の記憶手段は、プログラム実行される書き換え手順により書き換えることが可能なフラッシュＲＯＭであることを特徴とする実施態様１に記載の映像記録再生装置。
【００５１】
（実施態様３）  前記第２の記憶手段を書き換えるためのデータは、前記制御手段がデータ処理可能なメモリカードに格納されていることを特徴とする実施態様１又は２に記載の映像記録再生装置。
【００５２】
（実施態様４）  前記第２の記憶手段を書き換えるためのデータは、デジタル的に接続された外部機器から転送されることを特徴とする実施態様１又は２に記載の映像記録再生装置。
【００５３】
（実施態様５）  前記書き換え手段は、前記第２の記憶手段に格納され、前記制御手段が実行するための制御プログラムを含み、概制御プログラムは書き換えが実行される以前に前記第１の記憶手段にコピーされており、前記処理手段は前記第１の記憶手段から該コピーされたプログラムを読み出して書き換え処理を実行することを特徴とする実施態様１〜４のいずれか１項に記載の映像記録再生装置。
【００５４】
（実施態様６）  映像及び音声のデータを処理する信号処理手段と、前記処理手段が映像及び音声のデータを一時的に格納するための第１の記憶手段と、前記信号処理手段の動作の制御を含む各部の制御を行う制御手段と、前記制御手段の制御手順を決定するプログラム及びデータを格納する第２の記憶手段とを備えた映像記録再生装置において前記第２の記憶手段のプログラム及びデータの一部もしくは全てを書き換えるためのプログラム又はデータの書き換え方法であって、前記信号処理手段を一時的に停止させた後に、前記第１の記憶手段を一時的なデータ書き換え領域として使用する手順を有することを特徴とするプログラム又はデータの書き換え方法。
【００５５】
（実施態様７）  情報信号を処理する信号処理手段と、
前記信号処理手段が扱う情報信号を一時的に記憶するための第１の記憶手段と、
前記信号処理手段により処理された情報信号を記録媒体に記録すると共に、前記記録媒体から情報信号を再生して前記信号処理手段に出力する記録再生手段と、
前記信号処理手段の制御手順を決定する制御プログラムを格納する第２の記憶手段と、
前記制御プログラムに従い前記信号処理手段の動作を制御すると共に、前記第１の記憶手段を用いて前記第２の記憶手段に格納される制御プログラムの少なくとも一部を書き換える制御手段とを備えることを特徴とする記録再生装置。
【００５６】
（実施態様８）  前記制御手段は前記信号処理手段の動作を一時停止し、この一時停止中に前記第１の記憶手段を用いて前記制御プログラムを書き換えることを特徴とする実施態様７に記載の記録再生装置。
【００５７】
（実施態様９）  前記第２の記憶手段は前記制御プログラムの書き換え手順を示す書き換え用プログラムも格納しており、前記第２の記憶手段に格納された前記書き換え用プログラムを前記第１の記憶手段に移動した後、この第１の記憶手段に格納した書き換え用プログラムに従い前記制御プログラムを書き換えることを特徴とする実施態様７に記載の記録再生装置。
【００５８】
（実施態様１０）  前記制御プログラムに代わる新たな制御プログラムを入力する入力手段を備え、前記制御手段は前記新たな制御プログラムを前記第１の記憶手段に格納し、この新たな制御プログラムにより前記制御プログラムの少なくとも一部を書き換えることを特徴とする実施態様７に記載の記録再生装置。
【００５９】
（実施態様１１）  前記入力手段は記憶デバイスから前記新たな制御プログラムを読み出す読み出し手段を含むことを特徴とする実施態様１０に記載の記録再生装置。
【００６０】
（実施態様１２）  前記入力手段は外部装置より所定の伝送路を介して前記新たな制御プログラムを受信する受信手段を含むことを特徴とする実施態様１０に記載の記録再生装置。
【００６１】
（実施態様１３）  前記第１の記憶手段はＳＤＲＡＭであり、前記第２の記憶手段はフラッシュＲＯＭであることを特徴とする実施態様７に記載の記録再生装置。
【００６２】
（実施態様１４）  情報信号を処理する信号処理手段と、
前記信号処理手段が扱う情報信号を一時的に記憶するための第１の記憶手段と、
前記信号処理手段を含む各部の制御を行う制御手段と、
前記制御手段での制御手順を決定するプログラム或いはデータを格納する第２の記憶手段とを備え、
前記第２の記憶手段には当該第２の記憶手段に格納されるプログラム或いはデータを書き換えるための書き換えプログラムが格納されており、
前記制御手段は、前記書き換えプログラムを前記第２の記憶手段から前記第１の記憶手段にコピー或いは移動し、その書き換えプログラムに従って前記第２の記憶手段に格納されるプログラム或いはデータの書き換えを実行することを特徴とする信号処理装置。
【００６３】
（実施態様１５）  情報信号を処理する信号処理手段と、前記信号処理手段が扱う情報信号を一時的に記憶するための第１の記憶手段と、前記信号処理手段を含む各部の制御を行う制御手段と、前記制御手段での制御手順を決定するプログラム或いはデータを格納する第２の記憶手段とを備えた信号処理装置において前記第２の記憶手段に格納されるプログラム或いはデータの書き換えを実行するためのプログラム或いはデータの書き換え方法であって、
前記第２の記憶手段に格納される書き換えプログラムを前記第１の記憶手段にコピー或いは移動する手順と、
前記第２の記憶手段に格納されるプログラム或いはデータの書き換えを前記書き換えプログラムに従って前記制御手段に実行させる手順とを有することを特徴とするプログラム或いはデータの書き換え方法。
【００６４】
（実施態様１６）  情報信号を処理する信号処理手段と、前記信号処理手段が扱う情報信号を一時的に記憶するための第１の記憶手段と、前記信号処理手段を含む各部の制御を行う制御手段と、前記制御手段での制御手順を決定するプログラム或いはデータを格納する第２の記憶手段とを備えた信号処理装置において前記第２の記憶手段に格納されるプログラム或いはデータを書き換えるためのコンピュータプログラムであって、
前記第２の記憶手段に格納される自己プログラムを前記第１の記憶手段にコピー或いは移動する処理と、
前記第２の記憶手段に格納されるプログラム或いはデータの書き換えを実行する処理とを前記制御手段に実行させることを特徴とするコンピュータプログラム。
【００６５】
（実施態様１７）  実施態様１６に記載のコンピュータプログラムを格納したことを特徴とするコンピュータ読み取り可能な記憶媒体。
【００６６】
【発明の効果】
以上述べたように本発明によれば、書き換えプログラムを格納するための専用の記憶手段が不要となり、簡単な構成でフラッシュＲＯＭ等の記憶手段に格納される制御手段の処理プログラムやデータを変更することが可能となる。
【図面の簡単な説明】
【図１】第１の実施の形態におけるＤＶＣの構成を示す図である。
【図２】第１の実施の形態においてマイコン１−６のプログラムのバージョンアップを行う場合の処理手順について説明するフローチャートである。
【図３】プログラムのバージョンアップを行う場合の処理手順の概要を表す図である。
【図４】第２の実施の形態におけるＤＶＣの構成を示す図である。
【図５】フラッシュＲＯＭのアドレスマップにおける音声データの配置を示す図である。
【図６】第２の実施の形態において音声データの書き換えを行う場合の処理手順について説明するフローチャートである。
【図７】従来例の映像情報記録再生装置の構成を示す図である。
【図８】フラッシュＲＯＭのアドレスマップを示す図である。
【符号の説明】
１−１  レンズ
１−２  ＣＣＤセンサ
１−３  カメラ信号処理回路
１−４  ビデオ信号処理回路
１−５  メカデッキ
１−６  マイコン
１−７  フラッシュＲＯＭ
１−８  キー入力手段
１−９  ＲＡＭ
１−１０  メモリカード
１−１１  ＳＤＲＡＭ
１−１２  調停器
６−１３  ＵＳＢインターフェース
６−１４  パーソナルコンピュータ
６−１５  ＰＣＭデコーダ
６−１６  スピーカ
【図１】
2004248070.tif 000003
【図２】
2004248070.tif 000004
【図３】
2004248070.tif 000005
【図４】
2004248070.tif 000006
【図５】
2004248070.tif 000007
【図６】
2004248070.tif 000008
【図７】
2004248070.tif 000009
【図８】
2004248070.tif 000010